(57)【特許請求の範囲】
【請求項１】
遊技媒体が整列して流下可能な整列路を形成し、該整列路を流下する遊技媒体を計数するようにした遊技媒体の計数装置において、
光の三原色であるＲＧＢの各光を前記整列路上の遊技媒体にそれぞれ投射可能なＲＧＢ用の発光素子と、
投射されたＲＧＢの各光をそれぞれ受光可能に配され、ＲＧＢの各光を遊技媒体が遮った際に検出信号を出力可能なＲＧＢ用の受光素子と、
ＲＧＢ用の発光素子に駆動電流を供給する投光回路と、
制御信号が入力されたとき、該投光回路に切換信号を出力して、ＲＧＢ用の発光素子の各素子を切り換えて発光可能にするとともに、ＲＧＢ用の発光素子の発光色に対応したＲＧＢ用の受光素子が遊技媒体の検出信号を出力可能にして、該検出信号に基づいて遊技媒体を計数可能にする切換回路とを備えたことを特徴とする遊技媒体の計数装置。
【請求項２】
遊技媒体が整列して流下可能な整列路を形成し、該整列路を流下する遊技媒体を計数するようにした遊技媒体の計数装置において、
光の三原色であるＲＧＢの各光を前記整列路上の遊技媒体にそれぞれ投射可能なＲＧＢ用の発光素子と、
投射されたＲＧＢの各光をそれぞれ分光フィルタを介して受光可能にそれぞれ配され、ＲＧＢの各光を遊技媒体が遮った際に検出信号をそれぞれ出力可能なＲＧＢ用の受光素子と、
ＲＧＢ用の発光素子に駆動電流を供給する投光回路と、
制御信号が入力されたとき、該投光回路に切換信号を出力して、ＲＧＢ用の発光素子の各素子を切り換えて発光可能にするとともに、ＲＧＢ用の発光素子の発光色に対応したＲＧＢ用の受光素子が遊技媒体の検出信号を出力可能にして、該検出信号に基づいて遊技媒体を計数可能にする切換回路とを備えたことを特徴とする遊技媒体の計数装置。
【発明の詳細な説明】
【０００１】
【産業上の利用分野】
本発明は、遊技媒体が整列して流下可能な整列路を形成し、該整列路を流下する遊技媒体を計数するようにした遊技媒体の計数装置に関する。
【０００２】
【従来の技術】
従来、遊技媒体の計数装置としては、整列路であるスノコレール上をパチンコ玉が整列して流下するように構成され、スノコレールの隙間を発光ダイオードの赤色投光が通過し、スノコレール上を通過するパチンコ玉が赤色投光を遮ると、受光素子であるフォトダイオードが検出信号を出力して、その検出信号に基づいて、スノコレール上を通過するパチンコ玉を計数可能にしてものである。
一方、スノコレール上方の隙間に、先端部に発光タイオードを備えた樹脂製の板を差し込んで、発光ダイオードを点滅させて、フォトダイオードが偽の検出信号を出力し、持玉数を不正に増やすようにしたパチンコ機の不正使用行為が発覚した。
このような不正使用行為に対しては、例えば、係員が定期的に遊技場内を見回って、パチンコ機の不正使用を発見したり、不正使用の防止をするようにしていた。また、例えば、短時間に持玉数が異常に増えたパチンコ機が存在すると、そのパチンコ機を集中管理装置が特定し、係員がそのパチンコ機を見回り行くようにしていた。
【０００３】
【発明が解決しようとする課題】
しかしながら、このような従来の技術では、遊技場内に何人かの係員を配備して、パチンコ機の不正使用の発見およびそれの防止をするようにしているため、省人化や人件費節減に反し、また、発見が遅れると、遊技場が多大な損害を蒙るという問題点があった。
本発明は、このような従来の問題点に着目してなされたもので、ＲＧＢ用の発光素子の各素子を切り換えて発光するとともに、ＲＧＢ用の発光素子の発光色に対応してＲＧＢ用の受光素子の各素子の検出信号を出力するようにしたので、例えば、樹脂部材を差し込んで、その発光ダイオードの赤色光を点滅させた場合において、ＲＧＢ用の受光素子から遊技媒体の偽の検出信号が出力されないで、持玉数が増えないようになり、遊技場においてパチンコ機の不正使用に対抗することができ、また、遊技場に対する損害を防ぐことができる遊技媒体の計数装置を提供することを目的としている。
【０００４】
【課題を解決するための手段】
かかる目的を達成するために本発明の要旨とするところは、
１  遊技媒体が整列して流下可能な整列路（１５）を形成し、該整列路（１５）を流下する遊技媒体を計数するようにした遊技媒体の計数装置において、
光の三原色であるＲＧＢの各光を前記整列路（１５）上の遊技媒体にそれぞれ投射可能なＲＧＢ用の発光素子（２１）と、
該投射されたＲＧＢの各光をそれぞれ受光可能に配され、ＲＧＢの各光を遊技媒体が遮った際に検出信号を出力可能なＲＧＢ用の受光素子（２２）と、
ＲＧＢ用の発光素子（２１）に駆動電流を供給する投光回路（２３）と、
制御信号が入力されたとき、該投光回路（２３）に切換信号を出力して、ＲＧＢ用の発光素子（２１）の各素子を切り換えて発光するとともに、ＲＧＢ用の発光素子（２１）の発光色に対応したＲＧＢ用の受光素子（２２）が遊技媒体の検出信号を出力可能にして、該検出信号に基づいて遊技媒体を計数可能にする切換回路（２４）とを備えたことを特徴とする遊技媒体の計数装置。
【０００５】
２  遊技媒体が整列して流下可能な整列路（１５）を形成し、該整列路（１５）を流下する遊技媒体を計数するようにした遊技媒体の計数装置において、
光の三原色であるＲＧＢの各光を前記整列路（１５）上の遊技媒体にそれぞれ投射可能なＲＧＢ用の発光素子（２１）と、
該投射されたＲＧＢの各光をそれぞれ分光フィルタ（２７）を介して受光可能にそれぞれ配され、ＲＧＢの各光を遊技媒体が遮った際に検出信号をそれぞれ出力可能なＲＧＢ用の受光素子（２２）と、
ＲＧＢ用の発光素子（２１）に駆動電流を供給する投光回路（２３）と、
制御信号が入力されたとき、該投光回路（２３）に切換信号を出力して、ＲＧＢ用の発光素子（２１）の各素子を切り換えて発光するとともに、ＲＧＢ用の発光素子（２１）の発光色に対応したＲＧＢ用の受光素子（２２）が遊技媒体の検出信号を出力可能にして、該検出信号に基づいて遊技媒体を計数可能にする切換回路（２４）とを備えたことを特徴とする遊技媒体の計数装置に存する。
【０００６】
【作用】
整列路（１５）を遊技媒体が流下しており、整列路（１５）上の遊技媒体にＲＧＢ用の発光素子（２１）がそれぞれ投射可能になっている。
ＲＧＢ用の受光素子（２２）は、ＲＧＢ用の発光素子（２１）が投射されたＲＧＢの各光をそれぞれ受光可能になっており、ＲＧＢの各光を遊技媒体が遮った際に検出信号を出力するようになっている。
例えば、制御部が切換回路（２４）に制御信号を入力すると、切換回路（２４）は投光回路（２３）に切換信号を出力する。投光回路（２３）に切換信号を出力すると、ＲＧＢ用の発光素子（２１）の発光していた素子が別の素子に切り換わって、投光回路（２３）から駆動電流が供給され、発光するようになる。
【０００７】
また、制御部が切換回路（２４）に制御信号を入力すると、ＲＧＢ用の受光素子（２２）は、切り換わって発光するＲＧＢ用の発光素子（２１）の発光色に対応した素子に切り換わり、切り換わった素子が遊技媒体の検出信号を出力するようになる。出力された検出信号は、例えば、カウンタ回路にて、持玉数に加算されるようになる。
遊技媒体の計数装置に特殊な発光装置が挿入され、発光装置が赤色の発光ダイオードを点滅するようにした場合には、緑色用または青色用の受光素子に切り換わると、緑色用または青色用の受光素子は、発光ダイオードの赤色光に反応しないため、検出信号を出力することがなく、不正に持玉数が増えることはない。
【０００８】
それにより、係員は、遊技機をわざわざ見回らないで、遊技機の不正使用に対抗することができる。
【０００９】
該投射されたＲＧＢの各光をそれぞれ分光フィルタ（２７）を介して受光可能にそれぞれ配され、ＲＧＢの各光を遊技媒体が遮った際に検出信号をそれぞれ出力可能なＲＧＢ用の受光素子（２２）を備えたものでは、
分光フィルタ（２７）がＲＧＢの各単一光をそれぞれ通過するようになり、通過した各単一光は、ＲＧＢ用の受光素子の所定の各素子に投射されるようになる。
【００１０】
【実施例】
以下、図面に基づき本発明の一実施例を説明する。
遊技場内には、パチンコ機を多数並べて成る遊技島が複数配設され、パチンコ機内の下部には、持玉を計数するための計数装置１０が設けられている。
計数装置１０は整列路であるスノコレール１５が並設されてなり、各スノコレールは、隣接するスノコレールに遊技媒体であるパチンコ玉を跨がせるようにして流下可能に構成されている。スノコレール１５の終端部には、上方へ突出してパチンコ玉の流下を阻止可能にかつ下方へ没入してパチンコ玉の流下可能にするシャッタ１８が設けられている。
【００１１】
スノコレール１５の上方には、隣接するスノコレール１５の間の隙間に光の三原色であるＲＧＢの各光が通って、流下するパチンコ玉に投射可能なＲＧＢ用の発光素子２１が配設されている。ＲＧＢ用の発光素子２１には発光ダイオードが用いられている。ＲＧＢ用の発光素子２１に駆動電流を供給するための投光回路２３が設けられ、投光回路２３の各スイッチ素子のベースにしきい値以上あるいは以下の電圧をそれぞれ引加して、投射すべきＲＧＢの各光を切換可能な切換回路２４が設けられている。また、図外のＥＰＲＯＭに記録されたプログラムに基づき制御信号を切換回路２４に出力する制御部２５が設けられている。また、投光回路２３にはＲＧＢ用の発光素子２１を所定周期で断続的に発光させるための発振回路２６が接続されている。
【００１２】
スノコレール１５の下方には、ＲＧＢ用の発光素子２１に対向して、ＲＧＢ用の発光素子２１の各光を各分光フィルタ２７を介してそれぞれ受光可能であり、流下するパチンコ玉がＲＧＢの各光を遮った際に、光信号を変換した電気信号である検出信号を出力可能なＲＧＢ用の受光素子２２が配設されている。分光フィルタ２７は、ＲＧＢの各単一光をそれぞれ透過可能なものであり、ＲＧＢ用の受光素子２２の前面に配されている。スノコレール１５の下方スペースが狭く、ＲＧＢ用の受光素子２２や分光フィルタ２７を設置するのが困難な場合には、スノコレール１５の下方スペースには分光器を配し、光ファイバを広い場所まで延ばし、その広い場所にＲＧＢ用の受光素子２２や分光フィルタ２７を設置すればよい。
【００１３】
ＲＧＢ用の受光素子２２の各検出信号をそれぞれ増幅するための増幅回路３１が設けられている。増幅回路３１のスイッチ素子には切換回路２４が接続され、ＲＧＢ用の発光素子２１の発光色に対応したＲＧＢ用の受光素子２２の各素子に切換えてその検出信号を出力可能に構成されている。
増幅回路３１には、増幅された検出信号を基準レベルと比較して、基準レベルより大きい部分をパルス信号として取り出すための比較回路３２が接続され、
比較回路３２には、前記発振回路２６の所定周期に同期してパルス信号を生成し、該パルス信号と前記比較回路３２からパルス信号とが同期する場合には、Ｌレベルを出力し、同期しない場合には、Ｈレベルを出力する同期回路３３が接続されている。同期回路３３には、Ｈレベルの回数をカウントする加算回路であるカウンタ回路３４が接続されている。
カウンタ回路３４には、Ｈレベルのカウントに応じてアクチュエータ３６に必要電流を出力する駆動回路３５が接続されている。アクチュエータ３６には、玉貸機の前面に配される液晶表示部であるカウンタ３７が接続されている。
【００１４】
次に作用を説明する。
整列路１５を遊技媒体が流下しており、整列路１５上の遊技媒体にＲＧＢ用の発光素子２１がそれぞれ投射可能になっている。
ＲＧＢ用の受光素子２２は、ＲＧＢ用の発光素子２１が投射されたＲＧＢの各光をそれぞれ受光可能になっており、ＲＧＢの各光を遊技媒体が遮った際に検出信号を出力するようになっている。
図外のＥＰＲＯＭに記録されたプログラムが制御部２５に読み出され、制御部２５がプログラムを解読して、制御部２５内のデコーダが切換回路２４へ制御信号を出力すると、切換回路２４は投光回路２３に切換信号を出力する。投光回路２３に切換信号を出力すると、ＲＧＢ用の発光素子２１の発光していた素子が別の素子に切り換わって、投光回路２３から駆動電流が供給され、発光するようになる。また、発振回路２６によってＲＧＢ用の発光素子２１は所定周期で断続的に発光するようになる。
【００１５】
ＲＧＢ用の発光素子２１の切り換わった素子が所定周期で断続的に発光すると、ＲＧＢ用の発光素子２１の切り換わった素子の光のみが分光フィルタ２７を通過して、ＲＧＢ用の受光素子２２に投射される。ＲＧＢ用の受光素子２２に光が投射されると、投射されたＲＧＢ用の受光素子２２は、パチンコ玉の検出信号を出力するようになり、検出信号は増幅回路３１にて増幅され、増幅された検出信号が比較回路３２に出力される。
前述したごとく、制御部２５が切換回路２４に制御信号を出力すると、切換回路２４が増幅回路３１に切換信号を出力し、ＲＧＢ用の発光素子２１の発光色に対応したＲＧＢ用の受光素子２２の素子に係る増幅回路３１に切り換わっており、切り換わった増幅回路３１のみが増幅した検出信号を比較回路３２に出力するようになる。
【００１６】
それにより、例えば、ＲＧＢ用の発光素子２１とＲＧＢ用の受光素子２２との間の隙間に、例えば、樹脂部材を不正に挿入して、樹脂部材に設けられた発光素子を点滅させた場合に、点滅する色に係る増幅回路３１に切り換えられてなければ、増幅回路３１から検出信号が出力されないため、パチンコ玉が検出されないで、持玉を不正に増やすことができない。
一方、比較回路３２に増幅された検出信号が出力されると、比較回路３２は、増幅された検出信号を基準レベルと比較して、基準レベルより大きい部分をパルス信号として同期回路３３に出力する。同期回路３３は、前記発振回路２６の所定周期に同期してパルス信号を生成しており、そのパルス信号と前記比較回路３２からパルス信号とが同期する場合には、Ｌレベルをカウンタ回路３４に出力する。また、両信号が同期しない場合には、Ｈレベルをカウンタ回路３４に出力する。カウンタ回路３４は、Ｈレベルの回数を加算していく。カウンタ回路３４の算出したパチンコ玉の持玉数は図外のＥＰＲＯＭに記録される。該記録された持玉数の信号は、駆動回路３５に出力され、駆動回路３５は、持玉数に対応して必要電流をアクチュエータ３６中の各液晶板に出力し、それによりカウンタ３７が持玉数を表示する。
【００１７】
なお、前記実施例においては、遊技媒体をパチンコ玉にしたものを示したが、これに限らず、例えば、コインなどであってもよい。
また、所定時間内における各増幅回路３１から比較回路３２に出力される検出信号の有無を記録する記録部と、増幅回路３１から比較回路３２に出力される検出信号が、ＲＧＢ光の一つの色に係る増幅回路３１からのみ出力される場合には、遊技者が樹脂部材を不正に挿入して、樹脂部材の単一光の発光素子を不正に点滅し、遊技媒体の偽の検出信号を出力するようにしたものと判断して、不正行為検出信号を出力する判断処理部とを設けてもよい。
【００１８】
【発明の効果】
本発明にかかる遊技媒体の計数装置によれば、ＲＧＢ用の発光素子の各素子を切り換えて発光するとともに、ＲＧＢ用の発光素子の発光色に対応してＲＧＢ用の受光素子の各素子の検出信号を出力するようにしたので、例えば、樹脂部材を差し込んで、その発光ダイオードの赤色光を点滅させた場合において、ＲＧＢ用の受光素子から偽の検出信号が出力されないで、持玉数が増えないようになり、遊技場においてパチンコ機の不正使用に対抗することができ、また、遊技場が蒙る損害の発生を防止することができる。
【図面の簡単な説明】
【図１】本発明の一実施例を示すパチンコ玉の計数装置の部分正面図である。
【図２】本発明の一実施例を示す遊技媒体の計数装置のブロック図である。
【符号の説明】
１０…計数装置
１５…スノコレール（整列路）
２１…ＲＧＢ用の発光素子
２２…ＲＧＢ用の受光素子
２３…投光回路
２４…切換回路
２５…制御部
２６…発振回路
２７…分光フィルタ
３１…増幅回路
３２…比較回路
３３…同期回路
３４…カウンタ回路
３５…駆動回路
３６…アクチュエータ
３７…カウンタ
【図１】
0003756208.tif 000002
【図２】
0003756208.tif 000003